(57)【要約】【課題】印刷結果をプレビュー表示しながら、複数の印刷単位画像データの相対的な位置関係を容易に調整することができる画像処理装置を提供する。【解決手段】ユーザの操作を受け付ける操作部と、複数の印刷単位画像データを取得し、取得した複数の印刷単位画像データを所定方向に繋ぎ合わせた際における、複数の印刷単位画像データの相対的な位置関係を決定する決定部と、決定部により決定された相対的な位置関係に基づいて複数の印刷単位画像データを所定方向に繋ぎ合わせることにより、プレビュー用画像データを生成する生成部と、生成部により生成されたプレビュー用画像データに示されるプレビュー用画像をプレビュー表示画面にプレビュー表示する表示制御部と、を備える。【選択図】図３
2013239918.tif 000002
【特許請求の範囲】
【請求項１】
複数の印刷単位画像データを所定方向に繋ぎ合わせた印刷結果をプレビュー表示画面にプレビュー表示する画像処理装置であって、
ユーザの操作を受け付ける操作部と、
前記複数の印刷単位画像データを取得し、取得した前記複数の印刷単位画像データを前記所定方向に繋ぎ合わせた際における、前記複数の印刷単位画像データの相対的な位置関係を決定する決定部と、
前記決定部により決定された相対的な位置関係に基づいて前記複数の印刷単位画像データを前記所定方向に繋ぎ合わせることにより、プレビュー用画像データを生成する生成部と、
前記生成部により生成された前記プレビュー用画像データに示されるプレビュー用画像を前記プレビュー表示画面にプレビュー表示する表示制御部と、を備え、
前記決定部は、前記操作部により受け付けられ、且つ、前記プレビュー表示画面に表示された前記プレビュー用画像に対する前記ユーザの操作に基づいて、前記複数の印刷単位画像データの相対的な位置関係を決定し直す
画像処理装置。
【請求項２】
前記操作部は、前記複数の印刷単位画像データのうち特定の印刷単位画像データを、当該特定の印刷単位画像データに隣接する他の前記印刷単位画像データに対して相対的に移動させるユーザの操作を受け付け、
前記決定部は、前記特定の印刷単位画像データの移動量に基づいて、前記特定の印刷単位画像データと当該特定の印刷単位画像データに隣接する他の前記印刷単位画像データとの間の相対的な位置関係を決定し直す
請求項１に記載の画像処理装置。
【請求項３】
前記操作部は、前記複数の印刷単位画像データのうち前記特定の印刷単位画像データを選択するユーザの操作と、前記特定の印刷単位画像データを当該特定の印刷単位画像データに隣接する他の前記印刷単位画像データに対して相対的に移動させる長さに対応する数値を入力するユーザの操作と、を受け付ける
請求項２に記載の画像処理装置。
【請求項４】
前記操作部は、前記複数の印刷単位画像データのうち前記特定の印刷単位画像データを複数選択するユーザの操作と、前記複数の特定の印刷単位画像データの各々を当該特定の印刷単位画像データに隣接する他の前記印刷単位画像データに対して相対的に同時に移動させる長さに対応する数値を入力するユーザの操作と、を受け付ける
請求項３に記載の画像処理装置。
【請求項５】
前記操作部は、前記プレビュー表示画面において前記複数の印刷単位画像データのうち前記特定の印刷単位画像データをドラッグするユーザの操作を受け付ける
請求項２に記載の画像処理装置。
【請求項６】
前記表示制御部は、前記複数の印刷単位画像データの各々に示される印刷単位画像の輪郭を表す印刷単位画像枠線を前記プレビュー用画像と重ね合わせて前記プレビュー表示画面に表示させる
請求項１〜５のいずれか１項に記載の画像処理装置。
【請求項７】
前記表示制御部は、前記プレビュー用画像を複数枚の単票紙の各々に分割して印刷する場合に、前記複数枚の単票紙の各々の輪郭を表す単票紙枠線を前記プレビュー用画像と重ね合わせて前記プレビュー表示画面に表示させる
請求項１〜６のいずれか１項に記載の画像処理装置。
【請求項８】
前記表示制御部は、前記プレビュー用画像を複数枚の単票紙の各々に分割して印刷する場合に、前記プレビュー用画像を前記複数枚の単票紙に分割して印刷した印刷結果を前記プレビュー表示画面に表示させる
請求項１〜７のいずれか１項に記載の画像処理装置。
【請求項９】
複数の印刷単位画像データを所定方向に繋ぎ合わせた印刷結果をプレビュー表示画面にプレビュー表示する画像処理方法であって、
前記複数の印刷単位画像データを取得する取得ステップと、
ユーザの操作を受け付ける受付ステップと、
取得された前記複数の印刷単位画像データを前記所定方向に繋ぎ合わせた際における、前記複数の印刷単位画像データの相対的な位置関係を決定する決定ステップと、
決定された相対的な位置関係に基づいて前記複数の印刷単位画像データを前記所定方向に繋ぎ合わせることにより、プレビュー用画像データを生成する生成ステップと、
生成された前記プレビュー用画像データに示されるプレビュー用画像を前記プレビュー表示画面にプレビュー表示する表示ステップと、を含み、
前記決定ステップにおいて、前記受付ステップで受け付けられ、且つ、前記プレビュー表示画面に表示された前記プレビュー用画像に対する前記ユーザの操作に基づいて、前記複数の印刷単位画像データの相対的な位置関係を決定し直す
画像処理方法。
【請求項１０】
請求項９に記載の画像処理方法に含まれる各ステップをコンピュータに実行させる
画像処理プログラム。
【発明の詳細な説明】
【技術分野】
【０００１】
本発明は、複数の印刷単位画像データを所定方向に繋ぎ合わせた印刷結果をプレビュー表示画面にプレビュー表示する画像処理装置、画像処理方法及び画像処理プログラムに関する。
【背景技術】
【０００２】
従来より、複数ページの文書を所定方向に繋ぎ合わせた状態で例えば１枚の連続紙に印刷する、或いは、複数枚の単票紙に分割して印刷する、いわゆる長尺印刷の技術が知られている。この長尺印刷では、印刷ミスによる用紙の無駄を防止するため、印刷結果をプレビュー表示する必要性が高い。そのため、複数ページの文書に対応する複数の印刷単位画像データを上記所定方向に繋ぎ合わせることにより、プレビュー用画像データを生成する画像処理装置が提案されている（例えば、特許文献１参照）。画像処理装置により生成されたプレビュー用画像データに基づいて、長尺印刷の印刷結果が例えばパーソナルコンピュータのディスプレイ上のプレビュー表示画面にプレビュー表示される。
【先行技術文献】
【特許文献】
【０００３】
【特許文献１】特開２００８−９６５２号公報
【発明の概要】
【発明が解決しようとする課題】
【０００４】
上述した従来の画像処理装置では、長尺印刷の印刷結果がプレビュー表示画面にプレビュー表示された際に、上記所定方向に繋ぎ合わされた複数の印刷単位画像データの相対的な位置関係がユーザの意図した位置関係になっていない場合がある。このような場合には、例えば、ユーザは、プレビュー表示画面を一旦終了した後に、ワードプロセッサ等のアプリケーションを用いて複数の印刷単位画像データの上記所定方向におけるサイズを変更する作業を行う。その後、ユーザは、プレビュー表示画面を再度起動することにより、複数の印刷単位画像データの相対的な位置関係がユーザの意図した位置関係に調整されたかを確認する。上記位置関係をさらに調整する必要がある場合には、ユーザは上述した作業を繰り返し行う。
【０００５】
しかしながら、上述した作業を繰り返し行うことはユーザにとって利便性が高いとは言えないため、従来の画像処理装置では、複数の印刷単位画像データの相対的な位置関係を容易に調整することができないという問題がある。
【０００６】
本発明は、このような問題に鑑みてなされたものであり、その目的は、印刷結果をプレビュー表示しながら、複数の印刷単位画像データの相対的な位置関係を容易に調整することができる画像処理装置、画像処理方法及び画像処理プログラムを提供することである。
【課題を解決するための手段】
【０００７】
上記目的を達成するために、本発明の一態様に係る画像処理装置は、複数の印刷単位画像データを所定方向に繋ぎ合わせた印刷結果をプレビュー表示画面にプレビュー表示する画像処理装置であって、ユーザの操作を受け付ける操作部と、前記複数の印刷単位画像データを取得し、取得した前記複数の印刷単位画像データを前記所定方向に繋ぎ合わせた際における、前記複数の印刷単位画像データの相対的な位置関係を決定する決定部と、前記決定部により決定された相対的な位置関係に基づいて前記複数の印刷単位画像データを前記所定方向に繋ぎ合わせることにより、プレビュー用画像データを生成する生成部と、前記生成部により生成された前記プレビュー用画像データに示されるプレビュー用画像を前記プレビュー表示画面にプレビュー表示する表示制御部と、を備え、前記決定部は、前記操作部により受け付けられ、且つ、前記プレビュー表示画面に表示された前記プレビュー用画像に対する前記ユーザの操作に基づいて、前記複数の印刷単位画像データの相対的な位置関係を決定し直す。
【０００８】
本態様によれば、印刷結果をプレビュー表示しながら、複数の印刷単位画像データの相対的な位置関係を容易に調整することができる。
【０００９】
例えば、本発明の一態様に係る画像処理装置において、前記操作部は、前記複数の印刷単位画像データのうち特定の印刷単位画像データを、当該特定の印刷単位画像データに隣接する他の前記印刷単位画像データに対して相対的に移動させるユーザの操作を受け付け、前記決定部は、前記特定の印刷単位画像データの移動量に基づいて、前記特定の印刷単位画像データと当該特定の印刷単位画像データに隣接する他の前記印刷単位画像データとの間の相対的な位置関係を決定し直すように構成してもよい。
【００１０】
本態様によれば、特定の印刷単位画像データを当該特定の印刷単位画像データに隣接する他の印刷単位画像データに対して相対的に移動させることによって、複数の印刷単位画像データの相対的な位置関係を容易に調整することができる。
【００１１】
例えば、本発明の一態様に係る画像処理装置において、前記操作部は、前記複数の印刷単位画像データのうち前記特定の印刷単位画像データを選択するユーザの操作と、前記特定の印刷単位画像データを当該特定の印刷単位画像データに隣接する他の前記印刷単位画像データに対して相対的に移動させる長さに対応する数値を入力するユーザの操作と、を受け付けるように構成してもよい。
【００１２】
本態様によれば、特定の印刷単位画像データを選択するユーザの操作及び数値を入力するユーザの操作に基づいて、特定の印刷単位画像データの相対的な移動を容易に行うことができる。
【００１３】
例えば、本発明の一態様に係る画像処理装置において、前記操作部は、前記複数の印刷単位画像データのうち前記特定の印刷単位画像データを複数選択するユーザの操作と、前記複数の特定の印刷単位画像データの各々を当該特定の印刷単位画像データに隣接する他の前記印刷単位画像データに対して相対的に同時に移動させる長さに対応する数値を入力するユーザの操作と、を受け付けるように構成してもよい。
【００１４】
本態様によれば、複数の特定の印刷単位画像データを選択するユーザの操作及び数値を入力するユーザの操作に基づいて、複数の特定の印刷単位画像データを相対的に同時に移動させることができる。
【００１５】
例えば、本発明の一態様に係る画像処理装置において、前記操作部は、前記プレビュー表示画面において前記複数の印刷単位画像データのうち前記特定の印刷単位画像データをドラッグするユーザの操作を受け付けるように構成してもよい。
【００１６】
本態様によれば、プレビュー表示画面上で特定の印刷単位画像データをドラッグするユーザの操作に基づいて、特定の印刷単位画像データの相対的な移動を容易に行うことができる。
【００１７】
例えば、本発明の一態様に係る画像処理装置において、前記表示制御部は、前記複数の印刷単位画像データの各々に示される印刷単位画像の輪郭を表す印刷単位画像枠線を前記プレビュー用画像と重ね合わせて前記プレビュー表示画面に表示させるように構成してもよい。
【００１８】
本態様によれば、印刷単位画像データの移動量等を容易に確認することができる。
【００１９】
例えば、本発明の一態様に係る画像処理装置において、前記表示制御部は、前記プレビュー用画像を複数枚の単票紙の各々に分割して印刷する場合に、前記複数枚の単票紙の各々の輪郭を表す単票紙枠線を前記プレビュー用画像と重ね合わせて前記プレビュー表示画面に表示させるように構成してもよい。
【００２０】
本態様によれば、プレビュー用画像に対する複数枚の単票紙の配置を容易に確認することができる。
【００２１】
例えば、本発明の一態様に係る画像処理装置において、前記表示制御部は、前記プレビュー用画像を複数枚の単票紙の各々に分割して印刷する場合に、前記プレビュー用画像を前記複数枚の単票紙に分割して印刷した印刷結果を前記プレビュー表示画面に表示させるように構成してもよい。
【００２２】
本態様によれば、プレビュー用画像を複数枚の単票紙の各々に分割して印刷した印刷結果を容易に確認することができる。
【００２３】
また、本発明の一態様に係る画像処理方法は、複数の印刷単位画像データを所定方向に繋ぎ合わせた印刷結果をプレビュー表示画面にプレビュー表示する画像処理方法であって、前記複数の印刷単位画像データを取得する取得ステップと、ユーザの操作を受け付ける受付ステップと、取得された前記複数の印刷単位画像データを前記所定方向に繋ぎ合わせた際における、前記複数の印刷単位画像データの相対的な位置関係を決定する決定ステップと、決定された相対的な位置関係に基づいて前記複数の印刷単位画像データを前記所定方向に繋ぎ合わせることにより、プレビュー用画像データを生成する生成ステップと、生成された前記プレビュー用画像データに示されるプレビュー用画像を前記プレビュー表示画面にプレビュー表示する表示ステップと、を含み、前記決定ステップにおいて、前記受付ステップで受け付けられ、且つ、前記プレビュー表示画面に表示された前記プレビュー用画像に対する前記ユーザの操作に基づいて、前記複数の印刷単位画像データの相対的な位置関係を決定し直す。
【００２４】
本態様によれば、印刷結果をプレビュー表示しながら、複数の印刷単位画像データの相対的な位置関係を容易に調整することができる。
【００２５】
また、本発明の一態様に係る画像処理プログラムは、請求項９に記載の画像処理方法に含まれる各ステップをコンピュータに実行させる。
【００２６】
本態様によれば、印刷結果をプレビュー表示しながら、複数の印刷単位画像データの相対的な位置関係を容易に調整することができる。
【発明の効果】
【００２７】
本発明によれば、印刷結果をプレビュー表示しながら、複数の印刷単位画像データの相対的な位置関係を容易に調整することができる。
【図面の簡単な説明】
【００２８】
【図１】本発明の実施の形態１に係る画像処理装置を備えた画像処理システムの構成を示すブロック図である。
【図２】プレビュー表示画面の一例を示す図である。
【図３】図１の画像処理装置の構成を示すブロック図である。
【図４】本発明の実施の形態１に係る画像処理方法の流れを示すフローチャートである。
【図５】プレビュー用画像データを生成する方法を説明するための図である。
【図６Ａ】印刷単位画像データを移動させる前の状態でのプレビュー表示画面を示す図である。
【図６Ｂ】印刷単位画像データを移動させた後の状態でのプレビュー表示画面を示す図である。
【図７】単票紙枠線を表示させた状態でのプレビュー表示画面を示す図である。
【図８】単票紙印刷モードを説明するための図である。
【図９】複数の印刷単位画像データを同時に移動させる場合におけるプレビュー表示画面を示す図である。
【図１０】本発明の実施の形態２に係る画像処理装置を備えた画像処理システムの構成を示すブロック図である。
【図１１】図１０の画像処理装置の構成を示すブロック図である。
【図１２】本発明の実施の形態３に係る画像処理装置を備えた画像処理システムの構成を示すブロック図である。
【図１３】図１２の画像処理装置の構成を示すブロック図である。
【発明を実施するための形態】
【００２９】
以下、本発明に係る画像処理装置、画像処理方法及び画像処理プログラムの各種実施の形態について、図面を用いて詳細に説明する。なお、以下で説明する実施の形態は、いずれも本発明の一具体例を示すものである。以下の実施の形態で示される数値、形状、材料、構成要素、構成要素の配置位置、ステップ及びステップの順序等は、一例であり、本発明を限定する主旨ではない。本発明は、特許請求の範囲によって特定される。よって、以下の実施の形態における構成要素のうち、本発明の最上位概念を示す独立請求項に記載されていない構成要素については、任意の構成要素として説明される。
【００３０】
（実施の形態１）
図１は、本発明の実施の形態１に係る画像処理装置を備えた画像処理システムの構成を示すブロック図である。図１に示す画像処理システムは、パーソナルコンピュータ１及びプリンタ２で構成されている。
【００３１】
パーソナルコンピュータ１は、アプリケーション１１、プリンタドライバ１２、画像処理装置１３、表示部１４及び操作部１５を有している。
【００３２】
アプリケーション１１は、例えば文書データを作成するためのワードプロセッサ等のソフトウェアプログラムである。本実施の形態では、アプリケーション１１によって複数ページの文書データが作成され、これら複数ページの文書データの各々は、１ページ毎に１つの大きな文字（例えば「長」、「尺」、「プ」、「リ」、「ン」及び「ト」の各文字）が記載された文書データである。
【００３３】
プリンタドライバ１２は、本実施の形態ではラスタライズ機能を有しており、アプリケーション１１により作成された複数ページの文書データの各々をラスタライズする。これにより、プリンタドライバ１２は、ラスタイメージ形式の複数の印刷単位画像データを生成する。
【００３４】
画像処理装置１３は、プリンタドライバ１２から送信された複数の印刷単位画像データを所定方向（例えば横方向）に繋ぎ合わせることにより、長尺印刷の印刷結果をプレビュー表示するためのプレビュー用画像データを生成する。本実施の形態では、プレビュー用画像データは、「長」、「尺」、「プ」、「リ」、「ン」及び「ト」の各文字が横方向に且つ左から右の順に繋ぎ合わされた画像データである。画像処理装置１３の構成については後述する。
【００３５】
表示部１４は、例えばＣＲＴ（Ｃａｔｈｏｄｅ  Ｒａｙ  Ｔｕｂｅ）及びＬＣＤ（Ｌｉｑｕｉｄ  Ｃｒｙｓｔａｌ  Ｄｉｓｐｌａｙ）等で構成されている。この表示部１４には、例えばプレビュー表示画面等が表示される。図２は、プレビュー表示画面の一例を示す図である。図２に示すように、プレビュー表示画面には、プレビュー用画像データに示されるプレビュー用画像、例えば「長」、「尺」、「プ」、「リ」、「ン」及び「ト」の各文字が横方向に且つ左から右の順に繋ぎ合わされた「長尺プリント」の文字列がプレビュー表示される。
【００３６】
操作部１５は、例えばキーボード及びマウス等で構成されており、ユーザの操作を受け付ける。操作部１５は、例えば、複数の印刷単位画像データのうち特定の印刷単位画像データを、当該特定の印刷単位画像データに隣接する他の印刷単位画像データに対して相対的に移動させるユーザの操作を受け付ける。この操作部１５は、例えばユーザが表示部１４に表示されたプレビュー表示画面を操作する際に用いられる。
【００３７】
プリンタ２は、例えば複合機（ＭＦＰ：Ｍｕｌｔｉ  Ｆｕｎｃｔｉｏｎ  Ｐｅｒｉｐｈｅｒａｌｓ）で構成されている。このプリンタ２は、画像処理装置１３から送信された長尺印刷データ（後述する）に基づいて、連続紙印刷モード又は単票紙印刷モードで長尺印刷を実行する。なお、連続紙印刷モードとは、１枚の連続紙を用いて長尺印刷するモードである。単票紙印刷モードとは、複数枚の単票紙を用いて長尺印刷するモードである。
【００３８】
次に、上述した画像処理装置１３の構成について説明する。図３は、図１の画像処理装置の構成を示すブロック図である。図３に示す画像処理装置１３は、決定部１０１、蓄積部１０２、生成部１０３、表示制御部１０４、単票紙分割部１０５及び送信部１０６を有している。
【００３９】
決定部１０１は、プリンタドライバ１２から送信された複数の印刷単位画像データを取得し、複数の印刷単位画像データを上記所定方向に繋ぎ合わせた際における複数の印刷単位画像データの相対的な位置関係を決定する。決定部１０１による上記位置関係の決定方法については後述する。なお、「複数の印刷単位画像データの相対的な位置関係」とは、複数の印刷単位画像データの配置間隔又は重なり度合いをいう。
【００４０】
蓄積部１０２には、プリンタドライバ１２から送信された複数の印刷単位画像データが蓄積されている。
【００４１】
生成部１０３は、決定部１０１により決定された相対的な位置関係に基づいて複数の印刷単位画像データを上記所定方向に繋ぎ合わせることにより、プレビュー用画像データを生成する。
【００４２】
表示制御部１０４は、生成部１０３から送信されたプレビュー用画像データに基づいて、プレビュー用画像データに示されるプレビュー用画像をプレビュー表示画面にプレビュー表示させる。また、表示制御部１０４は、操作部１５により受け付けられたユーザの操作に基づいて、プレビュー表示画面における各種の表示等を制御する。表示部１４には、表示制御部１０４により各種の表示等が制御されたプレビュー表示画面がプレビュー表示される。
【００４３】
プリンタ２により単票紙印刷モードで長尺印刷が実行される際には、生成部１０３により生成されたプレビュー用画像データは、単票紙分割部１０５に送信される。単票紙分割部１０５は、プレビュー用画像データを複数枚の単票紙の各々のサイズに応じて複数のデータに分割する。なお、プリンタ２により連続紙印刷モードで長尺印刷が実行される場合には、生成部１０３により生成されたプレビュー用画像データは、単票紙分割部１０５を経ることなく送信部１０６に送信される。
【００４４】
送信部１０６は、生成部１０３からの１つのプレビュー用画像データ又は単票紙分割部１０５からの分割されたプレビュー用画像データに基づいて、長尺印刷データを生成する。送信部１０６は、生成した長尺印刷データをプリンタ２に送信する。
【００４５】
次に、本実施の形態の画像処理装置１３による画像処理方法について説明する。図４は、本発明の実施の形態１に係る画像処理方法の流れを示すフローチャートである。図５は、プレビュー用画像データを生成する方法を説明するための図である。図６Ａは、印刷単位画像データを移動させる前の状態でのプレビュー表示画面を示す図である。図６Ｂは、印刷単位画像データを移動させた後の状態でのプレビュー表示画面を示す図である。
【００４６】
まず、ユーザは、アプリケーション１１を用いて複数ページの文書データを作成する。複数ページの文書データの各々は、例えば、１ページ毎に「長」、「尺」、「プ」、「リ」、「ン」及び「ト」の各文字が記載された文書データである。ユーザがアプリケーション１１上において印刷ジョブを実行することにより、画像処理装置１３は、プリンタドライバ１２からの印刷ジョブを受信する（Ｓ１）。プリンタドライバ１２は、複数の文書データの各々に基づいて複数の印刷単位画像データを生成し、これら複数の印刷単位画像データを決定部１０１に送信する。
【００４７】
その後、決定部１０１は、プリンタドライバ１２から送信された複数の印刷単位画像データを取得する（取得ステップ）（Ｓ２）。図５に示すように、複数の印刷単位画像データの各々に示される印刷単位画像は、例えば、１ページ毎に「長」、「尺」、「プ」、「リ」、「ン」及び「ト」の各文字が記載された画像である。
【００４８】
その後、決定部１０１は、複数の印刷単位画像データの相対的な位置関係を決定する（決定ステップ）（Ｓ３）。この時点では、決定部１０１により決定される相対的な位置関係は、図６Ａに示すように、例えば複数の印刷単位画像データを単に横方向に隣接して並べた配置である。即ち、複数の印刷単位画像データの配置間隔は０ｍｍである。
【００４９】
その後、生成部１０３は、決定部１０１により決定された相対的な位置関係に基づいて複数の印刷単位画像データを横方向に且つ左から右の順に繋ぎ合わせることにより、プレビュー用画像データを生成する（生成ステップ）（Ｓ４）。このプレビュー用画像データは、例えば、「長」、「尺」、「プ」、「リ」、「ン」及び「ト」の各文字が横方向に且つ左から右の順に繋ぎ合わされた画像データである。
【００５０】
表示制御部１０４は、図２に示すように、上述したプレビュー用画像データに示されるプレビュー用画像をプレビュー表示画面にプレビュー表示させる（表示ステップ）（Ｓ５）。ユーザは、表示部１４に表示されたプレビュー表示画面を見ることにより、複数の印刷単位画像データの相対的な位置関係を確認することができる。ユーザがプレビュー表示画面の「原稿枠表示」のチェックボックス１１１にチェックを入れた場合には、操作部１５はこのユーザの操作を受け付ける。表示制御部１０４は、操作部１５により受け付けられたユーザの操作に基づいて、複数の印刷単位画像データの各々に示される印刷単位画像の輪郭を表す印刷単位画像枠線１１２をプレビュー用画像と重ね合わせてプレビュー表示画面に表示させる。なお、ユーザがプレビュー表示画面のスライドバー１１３を左方向又は右方向にドラッグさせることにより、図６Ａに示すように、プレビュー用画像の表示倍率を縮小又は拡大することができる。
【００５１】
ユーザがプレビュー表示画面を確認した結果、複数の印刷単位画像データの相対的な位置関係がユーザの意図した位置関係になっていない場合には、ユーザは、プレビュー表示画面上で上記位置関係を調整することができる。例えば、ユーザが「長」の文字及び「尺」の文字の配置間隔を小さくしたい場合について説明する。図７Ｂに示すように、ユーザは、「尺」の文字に対応する特定の印刷単位画像データのページ番号（例えば２ページ）を数値入力ボックス１１４に入力した後に、特定の印刷単位画像データの移動量に対応する数値（例えば−２５．４ｍｍ）を数値入力ボックス１１５に入力する。これにより、操作部１５は、複数の印刷単位画像データのうち特定の印刷単位画像データを選択するユーザの操作及び数値を入力するユーザの操作を受け付ける（受付ステップ）（Ｓ６でＹＥＳ）。
【００５２】
表示制御部１０４は、操作部１５により受け付けられたユーザの操作に基づいて、特定の印刷単位画像データを、当該特定の印刷単位画像データの左側に隣接する他の印刷単位画像データに対して近付く方向に、上記数値に対応する長さだけ相対的に移動させる。なお、特定の印刷単位画像データの移動に伴って、当該特定の印刷単位画像データに対応する印刷単位画像枠線１１２が移動される。これにより、「長」の文字に対応する印刷単位画像データと「尺」の文字に対応する印刷単位画像データとの重なり幅は、入力された数値（例えば−２５．４ｍｍ）に対応する長さに調整される。決定部１０１は、特定の印刷単位画像データの移動量に基づいて、「尺」の文字に対応する印刷単位画像データと「長」の文字に対応する印刷単位画像データとの間の相対的な位置関係を決定し直す（決定ステップ）（Ｓ３）。
【００５３】
その後、生成部１０３は、決定部１０１により決定された相対的な位置関係に基づいて、プレビュー用画像データを生成する（生成ステップ）（Ｓ４）。図６Ｂに示すように、表示部１４に表示されたプレビュー表示画面には、上述したプレビュー用画像データに示されるプレビュー用画像がプレビュー表示される（表示ステップ）（Ｓ５）。このプレビュー用画像データでは、「長」の文字及び「尺」の文字の配置間隔が当初の間隔よりも小さくなっている。
【００５４】
ユーザが「長」、「尺」、「プ」、「リ」、「ン」及び「ト」の各文字の配置間隔を全て小さくしたい場合には、上述したＳ３〜Ｓ６の各ステップを繰り返し実行すればよい。これにより、最終的に生成されたプレビュー用画像データでは、図５に示すように、「長」、「尺」、「プ」、「リ」、「ン」及び「ト」の各文字の配置間隔が全て当初の間隔よりも小さくなる。
【００５５】
なお、ユーザがプレビュー表示画面の数値入力ボックス１１５に数値「０ｍｍ」を入力した場合には、図６Ａに示すように、特定の印刷単位画像データと当該特定の印刷単位画像データの左側に隣接する他の印刷単位画像データとの配置間隔は０ｍｍに調整される。ユーザがプレビュー表示画面の数値入力ボックス１１５にマイナスの数値（例えば−２０．０ｍｍ）を入力した場合には、図６Ｂに示すように、特定の印刷単位画像データは、当該特定の印刷単位画像データの左側に隣接する他の印刷単位画像データに対して近付く方向に相対的に移動される。ユーザがプレビュー表示画面の数値入力ボックス１１５にプラスの数値（例えば２０．０ｍｍ）を入力した場合には、特定の印刷単位画像データは、当該特定の印刷単位画像データの左側に隣接する他の印刷単位画像データに対して離れる方向に相対的に移動される。
【００５６】
ユーザが印刷ジョブを続けて実行する場合には（Ｓ７でＮＯ）、上述したＳ１〜Ｓ６が再度実行される。この場合には、ユーザはさらに、アプリケーション１１を用いて複数ページの文書データ、例えば、１ページ毎に「実」及び「行」の各文字が記載された文書データを作成する。これにより、例えば、「長尺プリント」の文字列に対して「実」及び「行」の各文字が付加された「長尺プリント実行」の文字列のプレビュー用画像データが生成される。
【００５７】
ユーザが印刷ジョブを終了する場合には（Ｓ７でＹＥＳ）、ユーザが例えばプレビュー表示画面の印刷実行ボタン１１６をクリックすることにより、プリンタ２にて長尺印刷が実行される（Ｓ８）。
【００５８】
連続紙印刷モードで長尺印刷を実行する場合には、ユーザは、プレビュー表示画面の単票紙分割のプルダウンメニュー１１７から「なし」のメニューを選択した後に、印刷実行ボタン１１６をクリックする。これにより、プリンタ２において連続紙印刷モードで長尺印刷が実行される。この場合には、生成部１０３で生成されたプレビュー用画像データは、単票紙分割部１０５を経ることなく送信部１０６に送信される。送信部１０６は、生成部１０３からのプレビュー用画像データに基づいて長尺印刷データを生成し、この長尺印刷データをプリンタ２に送信する。これにより、長尺印刷データが印刷された１枚の連続紙がプリンタ２より出力される。なお、長尺印刷データの終端を示す信号が送信部１０６からプリンタ２に送信されることにより、長尺印刷が停止される。
【００５９】
単票紙印刷モードで長尺印刷を実行する場合には、ユーザは、図７に示すように、プレビュー表示画面の単票紙分割のプルダウンメニュー１１７から例えば単票紙のサイズを示す「Ａ４」のメニューを選択した後に、印刷実行ボタン１１６をクリックする。これにより、プリンタ２において単票紙印刷モードで長尺印刷が実行される。この場合には、生成部１０３で生成されたプレビュー用画像データは、単票紙分割部１０５に送信される。単票紙分割部１０５は、プレビュー用画像データを複数枚の単票紙の各々のサイズに応じて複数のデータに分割し、これら複数のデータを送信部１０６に送信する。送信部１０６は、単票紙分割部１０５からの分割されたプレビュー用画像データに基づいて長尺印刷データを生成し、この長尺印刷データをプリンタ２に送信する。
【００６０】
なお、図７に示すように、ユーザがプレビュー表示画面の「単票紙枠表示」のチェックボックス１１８にチェックを入れた場合には、表示制御部１０４は、複数枚の単票紙の各々の輪郭を表す単票紙枠線１１９をプレビュー用画像と重ね合わせてプレビュー表示画面に表示させる。このとき、例えば、印刷単位画像枠線１１２の色と単票紙枠線１１９の色とを異なる色に設定することにより、これらの視認性を高めることができる。
【００６１】
さらに、ユーザがプレビュー表示画面の「別画面表示」のチェックボックス１２０にチェックを入れた場合には、表示制御部１０４は、プレビュー用画像を複数枚の単票紙に分割して印刷した印刷結果をプレビュー表示画面に表示させる。これにより、プレビュー表示画面には、プレビュー用画像の全体イメージをプレビュー表示する第１の表示画面１２１と、単票紙印刷モードでの印刷結果をプレビュー表示する第２の表示画面１２２とが同時に表示される。
【００６２】
図８は、単票紙印刷モードを説明するための図である。図８に示すように、長尺印刷データが印刷された複数枚の単票紙５０がプリンタ２より出力される。複数枚の単票紙５０を所定方向（例えば横方向）に並べて相互に貼り合わせることによって、１枚の長尺状の印刷物が完成する。
【００６３】
以上のようにして、本実施の形態の画像処理装置１３では、印刷結果をプレビュー表示しながら、複数の印刷単位画像データの相対的な位置関係を容易に調整することができる。
【００６４】
なお、本実施の形態では、印刷単位画像データを１つずつ移動させたが、複数の印刷単位画像データを同時に移動させることもできる。図９は、複数の印刷単位画像データを同時に移動させる場合におけるプレビュー表示画面を示す図である。図９では、プレビュー用画像データは、「プ」、「リ」、「ン」及び「ト」の各文字が横方向に且つ左から右の順に繋ぎ合わされた画像データである。図９に示すように、ユーザは、例えば「リ」、「ン」及び「ト」の各文字に対応する複数の特定の印刷単位画像データのページ番号（例えば２〜４ページ）を数値入力ボックス１１４に入力する。その後、ユーザは、複数の特定の印刷単位画像データの移動量に対応する数値（例えば−８．０ｍｍ）を数値入力ボックス１１５に入力する。これにより、操作部１５は、複数の特定の印刷単位画像データを選択するユーザの操作及び数値を入力するユーザの操作を受け付ける。表示制御部１０４は、操作部１５により受け付けられたユーザの操作に基づいて、「リ」、「ン」及び「ト」の各文字に対応する複数の特定の印刷単位画像データを上記数値に対応する長さだけ同時に相対的に移動させる。決定部１０１は、複数の特定の印刷単位画像データの移動量に基づいて、複数の特定の印刷単位画像データの各々と当該特定の印刷単位画像データに隣接する他の印刷単位画像データとの間の相対的な位置関係を決定し直す。
【００６５】
なお、本実施の形態では、アプリケーション１１で作成された文書データをプリンタドライバ１２によりラスタイメージ形式の印刷単位画像データに変換したが、文書データをプリンタドライバ１２によりＰＤＬ（Ｐａｇｅ  Ｄｅｓｃｒｉｐｔｉｏｎ  Ｌａｎｇｕａｇｅ）形式の印刷単位画像データに変換することもできる。この場合には、画像処理装置１３において、ＰＤＬ形式の印刷単位画像データからラスタイメージ形式の印刷単位画像データに変換し、ラスタイメージ形式の印刷単位画像データに基づいてプレビュー用画像データを生成することができる。
【００６６】
（実施の形態２）
図１０は、本発明の実施の形態２に係る画像処理装置を備えた画像処理システムの構成を示すブロック図である。図１０に示すように、本実施の形態の画像処理システムは、パーソナルコンピュータ１Ａ及びプリンタ２Ａで構成されている。
【００６７】
パーソナルコンピュータ１Ａは、アプリケーション１１、プリンタドライバ１２及び送信部１６を有している。送信部１６は、プリンタドライバ１２により生成された例えばラスタイメージ形式の複数の印刷単位画像データをプリンタ２Ａに送信する。アプリケーション１１及びプリンタドライバ１２はそれぞれ、上記実施の形態１におけるアプリケーション１１及びプリンタドライバ１２と同様である。
【００６８】
プリンタ２Ａは、画像処理装置２１、表示部２２、操作部２３及び印刷部２４を有している。
【００６９】
画像処理装置２１は、送信部１６から送信された複数の印刷単位画像データを所定方向（例えば横方向）に繋ぎ合わせることにより、長尺印刷の印刷結果をプレビュー表示するためのプレビュー用画像データを生成する。プレビュー用画像データは、例えば、「長」、「尺」、「プ」、「リ」、「ン」及び「ト」の各文字が横方向に且つ左から右の順に繋ぎ合わされたデータである。画像処理装置２１の構成については後述する。
【００７０】
表示部２２は、例えばＬＣＤ等で構成されている。この表示部２２には、上記実施の形態１と同様に、例えばプレビュー表示画面等が表示される。
【００７１】
操作部２３は、例えばタッチパネル等で構成されており、ユーザの操作を受け付ける。この操作部２３は、例えば表示部２２に表示されたプレビュー表示画面を操作する際に用いられる。
【００７２】
印刷部２４は、長尺印刷データを１枚の連続紙又は複数枚の単票紙に印刷するための印刷ユニットである。
【００７３】
図１１は、図１０の画像処理装置の構成を示すブロック図である。図１１に示す画像処理装置２１は、決定部２０１、蓄積部２０２、生成部２０３、表示制御部２０４、単票紙分割部２０５及び印刷ジョブ管理部２０６を有している。印刷ジョブ管理部２０６は、送信部１６から送信された印刷ジョブを蓄積する。決定部２０１、蓄積部２０２、生成部２０３、表示制御部２０４及び単票紙分割部２０５はそれぞれ、上記実施の形態１における決定部１０１、蓄積部１０２、生成部１０３、表示制御部１０４及び単票紙分割部１０５と同様である。
【００７４】
次に、本実施の形態の画像処理装置２１による画像処理方法について説明する。まず、ユーザは、アプリケーション１１を用いて複数の文書データを作成する。複数の文書データの各々は、例えば、１ページ毎に「長」、「尺」、「プ」、「リ」、「ン」及び「ト」の各文字が記載された文書データである。ユーザがアプリケーション１１上において印刷ジョブを実行することにより、画像処理装置２１は、送信部１６からの印刷ジョブを受信する。送信部１６は、プリンタドライバ１２により生成された複数の印刷単位画像データを決定部２０１に送信する。
【００７５】
その後、決定部２０１は、送信部１６から送信された複数の印刷単位画像データを取得する（取得ステップ）。複数の印刷単位画像データの各々に示される印刷単位画像は、例えば、１ページ毎に「長」、「尺」、「プ」、「リ」、「ン」及び「ト」の各文字が記載された画像である。
【００７６】
その後、決定部２０１は、上記実施の形態１と同様にして、複数の印刷単位画像データの相対的な位置関係を決定する（決定ステップ）。その後、生成部２０３は、決定部２０１により決定された相対的な位置関係に基づいて複数の印刷単位画像データを横方向に且つ左から右の順に繋ぎ合わせることにより、プレビュー用画像データを生成する（生成ステップ）。このプレビュー用画像データは、例えば、「長」、「尺」、「プ」、「リ」、「ン」及び「ト」の各文字が横方向に且つ左から右の順に繋ぎ合わされた画像データである。
【００７７】
表示制御部２０４は、上述したプレビュー用画像データに対応するプレビュー用画像をプレビュー表示画面にプレビュー表示させる（表示ステップ）。ユーザは、表示部２２に表示されたプレビュー表示画面を見ることにより、複数のプレビュー用画像データの相対的な位置関係を確認する。その結果、複数の印刷単位画像データの相対的な位置関係がユーザの意図した位置関係になっていない場合には、ユーザは、上記実施の形態１と同様に、プレビュー表示画面上で上記位置関係を調整することができる。例えば、ユーザは、特定の印刷単位画像データのページ番号を数値入力ボックス１１４に入力した後に、特定の印刷単位画像データの移動量に対応する数値を数値入力ボックス１１５に入力する。これにより、操作部１５は、複数の印刷単位画像データのうち特定の印刷単位画像データを選択するユーザの操作及び数値を入力するユーザの操作を受け付ける（受付ステップ）。その後、上述と同様に、決定ステップ、生成ステップ及び表示ステップが再度実行される。
【００７８】
なお、本実施の形態では、アプリケーション１１で作成された文書データをプリンタドライバ１２によりラスタイメージ形式の印刷単位画像データに変換したが、文書データをプリンタドライバ１２によりＰＤＬ形式の印刷単位画像データに変換することもできる。この場合には、画像処理装置２１において、ＰＤＬ形式の印刷単位画像データからラスタイメージ形式の印刷単位画像データに変換し、ラスタイメージ形式の印刷単位画像データに基づいてプレビュー用画像データを生成することができる。
【００７９】
また、本実施の形態では、印刷単位画像データを文書データに基づいて生成したが、印刷単位画像データを例えばプリンタ２Ａのメモリに蓄積されたファクシミリ受信データ、コピー画像データ及び電子メール受信データ等に基づいて生成することもできる。
【００８０】
（実施の形態３）
図１２は、本発明の実施の形態３に係る画像処理装置を備えた画像処理システムの構成を示すブロック図である。図１２に示すように、本実施の形態の画像処理システムは、パーソナルコンピュータ１Ｂ、パーソナルコンピュータ３及びプリンタ２を有している。
【００８１】
パーソナルコンピュータ１Ｂは、アプリケーション１１、プリンタドライバ１２Ｂ、表示部１４及び操作部１５を有している。アプリケーション１１、表示部１４及び操作部１５はそれぞれ、上記実施の形態１におけるアプリケーション１１、表示部１４及び操作部１５と同様である。プリンタドライバ１２Ｂは、アプリケーション１１により作成された複数ページの文書データの各々を共通のメタデータに変換することにより、複数の印刷単位画像データを生成する。なお、本実施の形態では、プリンタドライバ１２Ｂは、ラスタライズ機能を有していない。
【００８２】
パーソナルコンピュータ３は、例えばパーソナルコンピュータ１Ｂよりも高性能なパーソナルコンピュータであり、画像処理装置３１を有している。
【００８３】
プリンタ２は、上記実施の形態１におけるプリンタ２と同様である。
【００８４】
図１３は、図１２の画像処理装置の構成を示すブロック図である。図１３に示す画像処理装置３１は、決定部３０１、蓄積部３０２、生成部３０３、表示制御部３０４、単票紙分割部３０５及び送信部３０６を有している。決定部３０１、蓄積部３０２及び単票紙分割部３０５はそれぞれ、上記実施の形態１における決定部１０１、蓄積部１０２及び単票紙分割部１０５と同様である。
【００８５】
生成部３０３は、ラスタライズ機能を有しており、プリンタドライバ１２Ｂから送信された複数の印刷単位画像データをラスタライズする。その後、生成部３０３は、決定部３０１により決定された相対的な位置関係に基づいて、ラスタイメージ形式の複数の印刷単位画像データを所定方向に繋ぎ合わせることにより、プレビュー用画像データを生成する。
【００８６】
送信部３０６は、生成部３０３からの１つのプレビュー用画像データ又は単票紙分割部３０５からの分割されたプレビュー用画像データを、表示制御部３０４を介して表示部１４に送信する。
【００８７】
表示制御部３０４は、送信部３０６から送信されたプレビュー用画像データに基づいて、プレビュー用画像データに示されるプレビュー用画像をプレビュー表示画面にプレビュー表示させる。また、表示制御部３０４は、操作部１５により受け付けられたユーザの操作に基づいて、プレビュー表示画面における各種の表示等を制御する。
【００８８】
次に、本実施の形態の画像処理装置３１による画像処理方法について説明する。アプリケーション１１で作成された複数の文書データがプリンタドライバ１２Ｂにより共通のメタデータに変換されることにより、複数の印刷単位画像データが生成される。生成された複数の印刷単位画像データは、パーソナルコンピュータ１Ｂからパーソナルコンピュータ３の画像処理装置３１に送信される。画像処理装置３１においては、上記実施の形態１及び２と同様に、複数の印刷単位画像データの相対的な位置関係が決定される。複数の印刷単位画像データがラスタライズされた後に、決定された相対的な位置関係に基づいてラスタイメージ形式の複数の印刷単位画像データが所定方向に繋ぎ合わされることにより、プレビュー用画像データが生成される。生成されたプレビュー用画像データは、パーソナルコンピュータ１Ｂの表示部１４に送信される。これにより、表示部１４には、プレビュー用画像データに基づいて、長尺印刷の印刷結果がプレビュー表示される。プレビュー用画像がプレビュー表示画面にプレビュー表示された際に、複数の印刷単位画像データの相対的な位置関係がユーザの意図した位置関係になっていない場合には、ユーザは、上記実施の形態１と同様に、プレビュー表示画面上で上記位置関係を調整することができる。また、プレビュー用画像データは長尺印刷データとしても機能し、プレビュー用画像データがパーソナルコンピュータ１Ｂからプリンタ２に送信されることにより、プリンタ２にて長尺印刷が実行される。
【００８９】
なお、本実施の形態では、画像処理装置３１をパーソナルコンピュータ３に設けたが、パーソナルコンピュータ３に代えて、例えばサーバ及び複合機等の各種装置に設けることもできる。
【００９０】
上記各実施の形態において、各構成要素は、専用のハードウェアで構成されるか、各構成要素に適したソフトウェアプログラムを実行することによって実現されてもよい。各構成要素は、ＣＰＵ又はプロセッサ等のプログラム実行部が、ハードディスク又は半導体メモリ等の記録媒体に記録されたソフトウェアプログラムを読み出して実行することによって実現されてもよい。ここで、上記各実施の形態の画像処理方法を実現するソフトウェアは、次のような画像処理プログラムである。
【００９１】
即ち、この画像処理プログラムは、複数の印刷単位画像データを取得する取得ステップと、ユーザの操作を受け付ける受付ステップと、取得された複数の印刷単位画像データを所定方向に繋ぎ合わせた際における、複数の印刷単位画像データの相対的な位置関係を決定する決定ステップと、決定された相対的な位置関係に基づいて複数の印刷単位画像データを所定方向に繋ぎ合わせることにより、プレビュー用画像データを生成する生成ステップと、生成されたプレビュー用画像データに示されるプレビュー用画像をプレビュー表示画面にプレビュー表示する表示ステップと、をコンピュータに実行させる。
【００９２】
また、上記画像処理プログラムをコンピュータ読み取り可能な不揮発性の記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ（登録商標））及び半導体メモリ等に記録したものでもよい。
【００９３】
以上、本発明の画像処理装置、画像処理方法及び画像処理プログラムについて、実施の形態１〜３に基づいて説明したが、本発明は、これら実施の形態１〜３に限定されるものではない。これらの実施の形態に対して当業者が思い付く変形を施して得られる形態、及び、これらの実施の形態における構成要素を任意に組み合わせて実現される別の形態も本発明に含まれる。
【００９４】
上記各実施の形態では、複数の印刷単位画像データを横方向に繋ぎ合わせたが、例えば縦方向に繋ぎ合わせることもできる。
【００９５】
また、上記各実施の形態では、印刷単位画像データを１ページの文書データに基づいて生成したが、１つの文書ファイルに基づいて生成することもできる。
【００９６】
また、上記各実施の形態では、特定の印刷単位画像データを移動させる際に、ユーザは、当該特定の印刷単位画像データのページ番号を数値入力ボックスに入力するとともに、当該特定の印刷単位画像データの移動量に対応する数値を数値入力ボックスに入力する。このような構成に代えて、例えば、ユーザがプレビュー表示画面上のポインタを用いて特定の印刷単位画像データを左方向又は右方向にドラッグすることにより、当該特定の印刷単位画像データを左方向又は右方向に移動させることもできる。この場合には、操作部は、プレビュー表示画面において当該特定の印刷単位画像データをドラッグするユーザの操作を受け付ける。表示制御部は、操作部により受け付けられたユーザの操作に基づいて、当該特定の印刷単位画像データをドラッグ量に対応する長さだけ移動させる。決定部は、特定の印刷単位画像データのドラッグ量（即ち、移動量）に基づいて、当該特定の印刷単位画像データに隣接する他の印刷単位画像データとの間の相対的な位置関係を決定し直す。
【産業上の利用可能性】
【００９７】
本発明は、複数の印刷単位画像データを所定方向に繋ぎ合わせた印刷結果をプレビュー表示画面にプレビュー表示する画像処理装置、画像処理方法及び画像処理プログラムとして利用することができる。
【符号の説明】
【００９８】
１，１Ａ，１Ｂ，３  パーソナルコンピュータ
２，２Ａ  プリンタ
１１  アプリケーション
１２，１２Ｂ  プリンタドライバ
１３，２１，３１  画像処理装置
１４，２２  表示部
１５，２３  操作部
１６，１０６，３０６  送信部
２４  印刷部
５０  単票紙
１０１，２０１，３０１  決定部
１０２，２０２，３０２  蓄積部
１０３，２０３，３０３  生成部
１０４，２０４，３０４  表示制御部
１０５，２０５，３０５  単票紙分割部
１１１，１１８，１２０  チェックボックス
１１２  印刷画像単位枠線
１１３  スライドバー
１１４，１１５  数値入力ボックス
１１６  印刷実行ボタン
１１７  プルダウンメニュー
１１３  チェックボックス
１１９  単票紙枠
１２１  第１の表示画面
１２２  第２の表示画面
２０６  印刷ジョブ管理部
【図１】
2013239918.tif 000003
【図２】
2013239918.tif 000004
【図３】
2013239918.tif 000005
【図４】
2013239918.tif 000006
【図５】
2013239918.tif 000007
【図６Ａ】
2013239918.tif 000008
【図６Ｂ】
2013239918.tif 000009
【図７】
2013239918.tif 000010
【図８】
2013239918.tif 000011
【図９】
2013239918.tif 000012
【図１０】
2013239918.tif 000013
【図１１】
2013239918.tif 000014
【図１２】
2013239918.tif 000015
【図１３】
2013239918.tif 000016